(57)【要約】【課題】本発明は、外箱内にしっかりと固定され易い内設ボードを提供する。【解決手段】物品Ｘを載置させる設置ボード２と、設置ボード２の上面１８に物品Ｘを固定する押えフィルム３とを備え、設置ボード２は、設置ボード２の端部１５を上方に折り曲げる第１の折り曲げ線１６を有し、第１の折り曲げ線１６は、その延在方向の中間部が設置ボード２の外側に張り出すように角度を有し、第１の折り曲げ線１６で設置ボード２を折り曲げ、端部１５を立ち上げた状態で外箱内に配される。【選択図】図４
2019006409.tif 000002
【特許請求の範囲】
【請求項１】
物品を載置させる設置ボードと、この設置ボードの上面に前記物品を固定する押えフィルムとを備え、
前記設置ボードは、設置ボードの端部を上方に折り曲げる第１の折り曲げ線を有し、
前記第１の折り曲げ線は、その延在方向の中間部が設置ボードの外側に張り出すように角度を有し、
前記第１の折り曲げ線で前記設置ボードを折り曲げ、前記端部を立ち上げた状態で外箱内に配される内設ボード。
【請求項２】
前記第１の折り曲げ線の成す角度は、１度以上３度以下である請求項１に記載の内設ボード。
【請求項３】
前記第１の折り曲げ線に交差する方向に延び、前記設置ボードの上面から視て谷折り又は山折り可能な第２の折り曲げ線が設けられている請求項１又は２に記載の内設ボード。
【請求項４】
前記設置ボードと押えフィルムとが部分的に貼着している区画部が設けられ、物品の収納部が２以上に分割されている請求項１から３のいずれか一項に記載の内設ボード。
【請求項５】
前記区画部を取り囲む切り抜き線が形成され、前記区画部を前記設置ボードから切り抜き、分割された収納部同士が連結可能になっている請求項４に記載の内設ボード。
【請求項６】
前記設置ボードを上面から視て山折りにする第２の折り曲げ線と、この第２の折り曲げ線に平行でかつ前記第２の折り曲げ線を挟んで隣り合う複数の第３の折り曲げ線が形成され、
前記複数の第３の折り曲げ線と第１の折り曲げ線との交点と、前記第２の折り曲げ線上の点とをそれぞれ結んだ線上で折り曲げて傾斜壁部を形成し、又は、前記複数の第３の折り曲げ線と第１の折り曲げ線との交点と、前記第２の折り曲げ線上の点とをそれぞれ結んだ線上で切り欠いて開口孔を形成し、
前記第２の折り曲げ線及び前記第３の折り曲げ線をそれぞれ折り曲げて突条部を形成し、前記物品の収納部を分割可能になっている請求項１から５のいずれか一項に記載の内設ボード。
【請求項７】
請求項１から６のいずれか一項に記載の内設ボードと、
この内設ボードを内部に配置可能な外箱とを備えた包装箱。
【発明の詳細な説明】
【技術分野】
【０００１】
本発明は、内設ボード及び包装箱に関する。
【背景技術】
【０００２】
物品を運送する際に物品を包装箱内で移動させて損壊等することを防止するための内設用の部材として、ベースボードに押えシートを貼着した内設ボードが開示されている（例えば、下記特許文献１及び２）。
特許文献１に記載の物品運送用梱包具は、ベースボードと、抑えシートとを有している。ベースボードは、物品搭載面と、立下り部と、立上り部と、支え部とに区画されている。物品搭載面は、梱包物品を搭載する面であり、立下り部は、その両側縁を一定の幅で下向きに折り返す部分であり、立上り部は、両端縁を一定の幅で上向きに折り返す部分である。抑えシートは、ベースボード上の物品の表面を覆い、立下り部の折り曲げにより、緊張して物品を定位置に保持させるようになっている。
特許文献２に記載の梱包具は、筒状のフィルムが板に巻かれた構造を有している。板は、その幅方向中央部において主折曲げ線によって区画され、配置面と、配置面に隣接する隣接面とを有している。また、主折り曲げ線の両端においてはこの主折り曲げ線に直交する方向に副折り曲げ線が設けられており、副折り曲げ線で谷折りにして外側の端部を立ち下られるようになっている。
【先行技術文献】
【特許文献】
【０００３】
【特許文献１】特開２０１１−１１１２０５号公報
【特許文献２】特許第６０４２５８１号公報
【発明の概要】
【発明が解決しようとする課題】
【０００４】
包装箱の外箱の寸法と内設ボードの寸法とは、若干異なることがある。しかし、上記いずれの内設用のボード部材についても、端部を上方に折り返して立ち上げる折り曲げ線（副折り曲げ線）が直線状に形成されているため、内設ボードの寸法の方が僅かに小さい場合、外箱内で内設ボードが動きやすくなってしまうという懸念があった。
そこで、本発明は、外箱内にしっかりと固定され易い内設ボードを提供する。
【課題を解決するための手段】
【０００５】
本発明の内設ボードは、物品を載置させる設置ボードと、この設置ボードの上面に前記物品を固定する押えフィルムとを備え、前記設置ボードは、設置ボードの端部を上方に折り曲げる第１の折り曲げ線を有し、前記第１の折り曲げ線は、その延在方向の中間部が設置ボードの外側に張り出すように角度を有し、前記第１の折り曲げ線で前記設置ボードを折り曲げ、前記端部を立ち上げた状態で外箱内に配される。
本発明の第１の折り曲げ線は、その延在方向の中間部が設置ボードの外側に張り出すように角度を有しているため、外箱に内設ボードを設置した際に第１の折り曲げ線において上方に折り曲げられる端部を外箱の内壁面に押し付けてしっかりと固定することができる。
【０００６】
本発明の内設ボードの前記第１の折り曲げ線の成す角度は、１度以上３度以下であってもよい。
この構成によれば、第１の折り曲げ線において上面側に折り曲げられる端部の弾性復帰力を良好にすることができる。
【０００７】
本発明の内設ボードの前記第１の折り曲げ線に交差する方向に延び、前記設置ボードの上面から視て谷折り又は山折り可能な第２の折り曲げ線が設けられていてもよい。
この構成によれば、物品を載置し易くすることができる。
【０００８】
本発明の内設ボードの前記設置ボードと押えフィルムとが部分的に貼着している区画部が設けられ、物品の収納部が２以上に分割されていてもよい。
この構成によれば、物品を収納部を分けて収納することが可能となる。
【０００９】
本発明の内設ボードの前記区画部を取り囲む切り抜き線が形成され、前記区画部を前記設置ボードから切り抜き、分割された収納部同士が連結可能になっていてもよい。
この構成によれば、分割された収納部を物品の大きさに応じて拡大することができる。
【００１０】
本発明の内設ボードの前記設置ボードを上面から視て山折りにする第２の折り曲げ線と、この第２の折り曲げ線に平行でかつ前記第２の折り曲げ線を挟んで隣り合う複数の第３の折り曲げ線が形成され、前記複数の第３の折り曲げ線と前記第１の折り曲げ線との交点と、前記第２の折り曲げ線上の点とをそれぞれ結んだ線上で折り曲げて傾斜壁部を形成し、又は、前記複数の第３の折り曲げ線と前記第１の折り曲げ線との交点と、前記第２の折り曲げ線上の点とをそれぞれ結んだ線上で切り欠いて開口孔を形成し、前記第２の折り曲げ線及び前記第３の折り曲げ線をそれぞれ折り曲げて突条部を形成し、前記物品の収納部を分割可能にしてもよい。
この構成によれば、物品の収納部を分割することができるとともに、突条部により設置ボードと押えフィルムとの間に高さを形成することができる。
【００１１】
本発明の包装箱は、上記いずれか一に記載の内設ボードと、この内設ボードを内部に配置可能な外箱とを備えている。
本包装箱によれば、上記いずれかの作用又は機能を奏する。
【発明の効果】
【００１２】
本発明の内設ボード及び包装箱は、内設ボードが外箱内にしっかりと固定されやすくひいては物品が外箱内で動き難くすることができるという効果を奏する。
【図面の簡単な説明】
【００１３】
【図１】本発明の第１の実施形態に係る内設ボードを示した展開図である。
【図２】本発明の第１の実施形態に係る包装箱を示した上面図である。
【図３】本発明の第１の実施形態に係る内設ボードに物品を収納する方法を示した斜視図である。
【図４】本発明の第１の実施形態に係る内設ボードに物品を収納する方法を示した斜視図である。
【図５】本発明の第１の実施形態に係る包装箱に物品を収納した状態を示した上面斜視図である。
【図６】本発明の第２の実施形態に係る内設ボードを示した展開図である。
【図７】本発明の第２の実施形態に係る内設ボードに物品を収納する方法を示した斜視図である。
【図８】本発明の第２の実施形態に係る内設ボードに物品を収納する方法を示した斜視図である。
【図９】本発明の第２の実施形態に係る内設ボードに物品を収納する方法を示した斜視図である。
【図１０】本発明の第２の実施形態に係る内設ボードに物品を収納する他の方法を示した斜視図である。
【図１１】本発明の第２の実施形態に係る内設ボードの変形例を示した展開図である。
【図１２】本発明の第２の実施形態に係る内設ボードの変形例を示した展開図である。
【図１３】本発明の第３の実施形態に係る内設ボードを示した展開図である。
【図１４】本発明の第３の実施形態に係る包装箱に物品を収納した状態を示した上面斜視図である。
【発明を実施するための形態】
【００１４】
以下、図面を参照して、本発明の内設ボード及び包装箱の各実施形態について説明する。なお、以下の説明で用いる図の各部分の寸法は実際のものと同一とは限らず、適宜変更することができる。
【００１５】
図１に示すように、本発明の第１の実施形態の内設ボード１Ａは、設置ボード２と、押えフィルム３とを備えている。
また、本発明の第１の実施形態の包装箱は、図２に示すように、外箱５と、外箱５の内部に設置される本実施形態の内設ボード１Ａとを備えている。
【００１６】
外箱５は、矩形の底面部６と底面部６の四辺から立ち上がる側面部７とを少なくとも有している。本実施形態では、側面部７の上端開口部１０を開閉自在にする蓋部８を有しているが、側面部７の上端開口部１０を閉塞する手段としては蓋部８に限定されるものではなく、筒状に形成されたスリーブ等が用いられてもかまわない。また、蓋部８を連接している側面部７の両側に隣接する側面部７の上端縁には短フラップ９が連接されているとよい。
また、外箱５は、折り畳んで平坦にした状態で保管するための折り曲げ線（不図示）が形成されているとよい。
【００１７】
図１に示すように、内設ボード１Ａは、矩形に形成された設置ボード２と、可撓性を有する押えフィルム３とを備えている。
設置ボード２は、梱包対象となる物品（以下単に「物品」という）を載置させる板状部材であり、特に限定されないが、折り曲げ可能な程度に剛性がある紙製又は合成樹脂製等の素材により形成されている。
【００１８】
設置ボード２の長手方向の両端部１５には、短辺２ａに略沿う第１の折り曲げ線１６が設けられている。詳細には、第１の折り曲げ線１６は、短辺２ａからの距離が図２に示す外箱５の側面部７の高さ寸法と略同一になる位置に設けられている。
設置ボード２は、第１の折り曲げ線１６において谷折りにすることにより第１の折り曲げ線１６よりも外側の端部１５を、物品Ｘを載置する方の面（以下「上面」という）１８側に折り曲げて起立できるようになっている。
【００１９】
第１の折り曲げ線１６は、その延在方向の中間部において設置ボード２の外側、すなわち短辺２ａ側に張り出すように「＜」又は「＞」の形状に僅かに屈曲している。短辺２ａに平行な仮想線Ｌ１に対する第１の折り曲げ線１６の屈曲角度θ１は、１度以上３度以下、好ましくは１．５度以上２．５度以下、最も好ましくは２度である。言い換えると、第１の折り曲げ線１６の成す角θ２は、１７４℃以上１７８℃以下、好ましくは、１７５度以上１７７℃以下、最も好ましくは１７６度である。
【００２０】
押えフィルム３は、可撓性及び伸縮性のある合成樹脂製のフィルムであり、必須ではないが透明または半透明に形成されている。
押えフィルム３は、設置ボード２の長手方向には設置ボード２の第１の折り曲げ線１６よりも中央寄りの位置に亘って配され、短手方向には、長辺２ｂの近傍の端部をわずかに残して略全体を覆うように配されている。
【００２１】
押えフィルム３の設置ボード２に対する張りは、設置ボード２を展開した状態で押えフィルム３が略弛みない程度又は皺が殆ど出ない程度のごく僅かな弛みを残して開口しやすい程度となっている。
設置ボード２の短手方向に沿って配されている押えフィルム３の端部３ａは、設置ボード２に貼着されずに解放端となっている。一方、設置ボード２の長手方向に沿って配されている押えフィルム３の端部３ｂには、貼着部Ｓが設けられ、貼着部Ｓにおいて接着テープ又は接着剤により設置ボード２に貼着され、閉じられている。このようにして、内設ボード１Ａには、押えフィルム３と設置ボード２との間に長手方向の両端に開口部３ｅを設けた物品の収納部２０が形成されている。
【００２２】
次に、内設ボード１Ａに物品Ｘを梱包する方法、その作用及び機能、及び物品Ｘを梱包した内設ボード１Ａを外箱５内に配置した際の作用及び機能について説明する。
【００２３】
内設ボード１Ａに物品を梱包するには、設置ボード２を若干撓ませて、押えフィルム３を弛ませた状態にして、図３に示すように、設置ボード２と押えフィルム３との間の開口部３ｅから収納部２０に物品Ｘを挿入する。なお、図では開口部３ｅは閉じたように示されているが、物品Ｘの大きさ又は押えフィルム３の材質によっては、若干開口する。
端部１５は、図４に示すように、第１の折り曲げ線１６において上面１８側から視て谷折りにして起立させる。 
【００２４】
この際、第１の折り曲げ線１６は「＜」及び「＞」形状に形成されているため、端部１５を手で支えることなく立ち上がらせておくことが難しい。すなわち、第１の折り曲げ線１６は、端部１５を押えていないと端部１５を平坦に寝かせてしまう形状となっているため、端部１５をしっかりと保持した状態で、図５に示すように外箱５内に収納する。
【００２５】
このようにして内設ボード１Ａを外箱５に収納すると、起立した端部１５は、平坦に戻ろうとする（即ち弾性復帰しようとする）ため外箱５の側面部７を押しながら配置され、外箱５の内側にしっかりと固定される。
【００２６】
また、端部１５の高さ寸法、すなわち第１の折り曲げ線１６から短辺２ａまでの寸法は、外箱５の側面部７の高さと略同じで形成されているため、内設ボード１Ａを外箱５内に配置した際に、蓋部８又は側面部７上端の短フラップ９で外箱５の上端開口部１０を閉じた際に、端部１５の上端が短フラップ９等に当たる。したがって内設ボード１Ａが上下方向に動くことを防止することができる。
【００２７】
このように、本発明の内設ボード１Ａ及び包装箱４によれば、物品Ｘを安定的に収納した内設ボード１Ａを外箱５内で移動又は搖動することを防止しつつ収納することができる。特に内設ボード１Ａの端部１５，１５間の寸法が外箱５の寸法よりもやや小さい場合であっても、端部１５を側面部７に押し付けながら配置させることができるため、外箱５に収納した内設ボード１Ａの移動を効果的に防止し、物品Ｘを安定的に収納することができる。
【００２８】
なお、本実施形態において、第１の折り曲げ線１６で折り曲げて上面１８側に起立させる端部１５は、短辺２ａに沿って形成したが、第１の折り曲げ線１６は長辺２ｂに沿って形成されてもよい。また、押えフィルム３は、短辺２ａ近傍の端部において貼着部Ｓが形成され、長辺２ｂ側に開口することになる。また、外箱５の形状も内設ボード１Ａの形状に合わせて形成される。
【００２９】
なお、図１に示すように、設置ボード２の短手方向の中間部、好ましくは略中央には、設置ボード２を上面１８から視て谷折りに折り曲げ可能とする第２の折り曲げ線１７が設けられていてもよい。
【００３０】
設置ボード２にこのような第２の折り曲げ線１７を設けた場合には、第２の折り曲げ線１７において設置ボード２を谷折りにして押えフィルム３を十分に弛ませることができるため、収納部２０に物品を挿入し易くなる。
【００３１】
また、第１の折り曲げ線１６において折り曲げられて立ち上がる端部１５の上縁の両端部は、図１に示すように、端部１５の高さを徐々に小さくする傾斜辺１５ａ，１５ａとなっていてもよい。このような傾斜辺１５ａ，１５ａを設けた場合には、内設ボード１Ａの外箱５への収まり具合により端部１５が浮き気味になったときにも、端部１５の上縁の角部が蓋部８又は短フラップ９を押し上げて蓋部８が閉まり難くすることを防止することができる。
【００３２】
次に、本発明の第２の実施形態について、図を用いて説明する。
図６に示すように、第２の実施形態の内設ボード１Ｂは、第１の実施形態の内設ボード１Ａの一部の構成において異なっている。すなわち、内設ボード１Ｂには、長辺２ｂに沿う端部２９、すなわち短手方向の一方の端部２９を折り畳むことを可能とする第４の折り曲げ線２５が設けられている点で第１の実施形態の内設ボード１Ａと相違している。そこで、第２の実施形態の内設ボード１Ｂ又は包装箱４については、第１の実施形態の内設ボード１Ａ又は包装箱４と同一の構成について同一の符号を付してその説明を省略し、相違する点を中心に説明する。
【００３３】
第４の折り曲げ線２５は、設置ボード２の短手方向の一方の端部２９を設置ボード２の上面１８側又は下面１９側に折り曲げるための線であり、短辺２ａ間に亘って設けられている。押えフィルム３は、設置ボード２の長手方向には第１の実施形態と同様に、短手方向には、一端が長辺２ｂの近傍まで他端が第４の折り曲げ線２５を覆って長辺２ｂの近傍まで覆っている。押えフィルム３は、長辺２ｂの近傍の貼着部Ｓにおいて長手方向に沿って接着剤等により設置ボード２に貼着されている。
【００３４】
内設ボード１Ｂに物品Ｘを収納するには、端部２９を立ち上げることにより押えフィルム３を弛ませ、図７に示すように、物品Ｘを設置ボード２と押えフィルム３との間の収納部２０に挿入する。端部２９は、図８に示すように第４の折り曲げ線２５において折り曲げ、設置ボード２の下面１９側に折り畳む。そうすると、押えフィルム３の貼着部Ｓ，Ｓ間（一方は下面１９側に位置している）の方向に押えフィルム３が引っ張られ、物品Ｘが設置ボード２に強く押さえ付けられる。
【００３５】
この状態で、図９に示すように更に第１の折り曲げ線１６に沿う端部１５を立ち上げると、端部２９の長手方向の両端２９Ｔ（すなわち端部１５と交わる部分）が端部１５の下面１９に回り込んだ状態で端部１５と共に立ち上がる。したがって、端部２９の全体が浮くことなく下面１９にぴったりと押し付けられる状態になるため、押えフィルム３の張りが一層強くなり、物品Ｘの押えがより確実となる。
この内設ボード１Ｂを、外箱５の短辺２ａと長辺２ｂの向きに合わせて、図５に示すのと同様に外箱５内に収納する。
【００３６】
第２の実施形態の内設ボード１Ｂ及び包装箱４によれば、押えフィルム３により強いテンションを掛けることができるため、物品Ｘを設置ボード２上によりしっかりと押えて収納しておくことができるという効果を奏する。
また、内設ボード１Ｂは、図９に示すように、押えフィルム３と設置ボード２との貼着部Ｓの一方が設置ボード２の下面１９側に回り込み、押えフィルム３が第４の折り曲げ線２５において一旦留められるため、押えフィルム３に強いテンションが掛かっても、押えフィルム３の貼着部Ｓが設置ボード２から剥離するということを防止することができる。
【００３７】
また、本実施形態においても、第１の実施形態の内設ボード１Ａで説明したのと同様に、第１の折り曲げ線１６に略直交する方向に延びる第２の折り曲げ線１７が短手方向の略中央に設けられていてもよい。
【００３８】
なお、物品Ｘの厚さ又は高さ寸法が大きいために、第４の折り曲げ線２５に沿う端部２９を設置ボード２の下面１９側に折り畳めない場合には、図１０に示すように、第４の折り曲げ線２５に沿う端部２９を上面１８側に起立させてもよい。
この場合、図１０，図１１に示すように、端部２９の両端において余る折り畳み片部２６を第１の折り曲げ線１６に沿う端部に重ねることができるようにする折り畳み罫線２７（図１１参照）が形成されていてもよい。
【００３９】
また更に、折り畳んで形成された折り畳み片部２６を挿入させて係止させる切込み２８が端部２９に隣接する第１の折り曲げ線１６において立ち上がった端部１５に形成されているとよい。
【００４０】
端部２９をこのように上面１８側に起立させることによって、内設ボード１Ｂは、嵩の大きい物品Ｘを安定的に梱包することもできるという効果を奏する。
【００４１】
なお、第２の実施形態の内設ボード１Ｂは、第４の折り曲げ線２５を一方の長辺２ｂ側のみに設けたが、第４の折り曲げ線２５は、一対の長辺２ｂの双方に沿って、短手方向の両端側に設けられていてもよい。
【００４２】
また、図１１に示すような折り畳み片部２６を設けずに、図１２に示すような端部２９，２９を設けてもよい。この際、第１の折り曲げ線１６と第４の折り曲げ線２５との交差部分にスリット５０を形成しておくと、端部２９の両端２９Ｔの折り畳みを容易にすることができる。
【００４３】
内設ボード１Ｂに第４の折り曲げ線２５を対向する両長辺２ｂに沿って設けた場合には、押えフィルム３をより一層効果的に張ることができる。また、第４の折り曲げ線２５に沿う端部２９が設置ボード２の下面１９側に回り込むことにより、押えフィルム３と設置ボード２との貼着部Ｓの双方の剥離を防止することができる。
【００４４】
次に、本発明の第３の実施形態について図１３，図１４を用いて説明する。第３の実施形態の内設ボード１Ｃ又は包装箱４は、第２の実施形態の内設ボード１Ｂを応用した別の態様であるので、第２の実施形態の内設ボード１Ｂと同一の構成について同一の符号を付してその説明を省略し、相違する点を中心に説明する。
【００４５】
第３の実施形態の内設ボード１Ｃは、第２の実施形態の内設ボード１Ｂの収納部２０の１ヶ所以上において押えフィルム３と設置ボード２とを部分的に貼着し、物品Ｘの収納部２０を複数に分割している点で第２の実施形態の内設ボード１Ｂと相違している。
【００４６】
具体的に、第３の実施形態の内設ボード１Ｃは、図１３に示すように、収納部２０の短手方向の中間部及び長手方向の中間部において押えフィルム３と設置ボード２とを貼着する区画部３５が形成されており、収納部２０を複数（本実施形態では２つの領域に）区画している。
【００４７】
区画部３５は、分割された各収納部２０ａ，２０ｂ，２０ｃの周りを連続的に貼着するのではなく、分割された収納部２０ａ，２０ｂ，２０ｃの１辺において１，２箇所をポイント箇所をドット状に貼着することによって収納部２０を分割している。収納部２０ａ，２０ｂ，２０ｃの周囲をポイント的に貼着することにより、各収納部２０ａ，２０ｂ，２０ｃの周りを連続的に貼着するよりも、小さく分割された収納部２０ａ，２０ｂ，２０ｃの嵩をできるだけ高くして使用することができる。また、収納する物品Ｘの大きさに応じた収納部２０を形成することができる。
なお、分割された収納部２０ａ等は、区画部３５の設定位置によって適宜形成することができる。
【００４８】
また、区画部３５を取り囲むように設置ボード２に切り抜き線３６を設け、この切り抜き線３６に沿って設置ボード２の一部を切り抜いて押えフィルム３側に貼り付けておくことができるようにしてもよい。このような構成にすることで、区画部３５における押えフィルム３と設置ボード２との貼着を解除し、分割した収納部２０ｂ及び２０ｃを物品Ｘのサイズに応じて拡大することができるという効果を奏する。
【００４９】
また更に、内設ボード１Ｃは、図１３及び図１４に示すように、設置ボード２の一部を折り曲げて突条部４０を形成し、分割された収納部２０ａ等に区画してもよい。また、突条部４０において押えフィルム３と設置ボード２とを貼着させる区画部３５を設けてもよい。
具体的には例えば、第２の折り曲げ線１７を挟むように第２の折り曲げ線１７に平行な２つの第３の折り曲げ線３０，３０を第２の折り曲げ線１７を間隔を空けて設け、図１４に示すような略三角形の突条ないし畝を形成してもよい。
【００５０】
この場合、図１３に示すように、第３の折り曲げ線３０と第１の折り曲げ線１６との交点Ｐ１，Ｐ１を結んだ線上に切込み３１を形成し、更に第１の折り曲げ線１６よりも内側の第２の折り曲げ線１７上の点Ｐ２と交点Ｐ１のそれぞれと結んだ線３２，３２上で折り曲げを可能にして、三角形の傾斜壁部３４を形成し、第２の折り曲げ線１７を頂部とする突条部４０を形成することができる。なお、この突条部４０の両端に形成された傾斜壁部３４，３４は、切り抜かれていてもよい。
【００５１】
内設ボード１Ｃのように、収納部２０を分割し、又は突条部４０と区画部３５とを組み合わせて分割された収納部２０ａ等を形成することで、物品Ｘの大きさ又は嵩に応じた収納部２０を形成することができる。
なお、図１３，図１４においては、区画部３５と突条部４０とを共に採用した内設ボード１Ｃを例示したが、区画部３５と突条部４０とは一緒に設けられる必要はなく、それぞれ別々に適用されてもよい。
【符号の説明】
【００５２】
１Ａ，１Ｂ，１Ｃ    内設ボード
２  設置ボード
３  押えフィルム
４  包装箱
５  外箱
１５  端部
１６  第１の折り曲げ線
１７  第２の折り曲げ線
２０  収納部
３０  第３の折り曲げ線
３５  区画部
３６  切り抜き線
３４  傾斜壁部
４０  突条部
Ｐ１  交点
Ｐ２  点
Ｘ    物品
【図１】
2019006409.tif 000003
【図２】
2019006409.tif 000004
【図３】
2019006409.tif 000005
【図４】
2019006409.tif 000006
【図５】
2019006409.tif 000007
【図６】
2019006409.tif 000008
【図７】
2019006409.tif 000009
【図８】
2019006409.tif 000010
【図９】
2019006409.tif 000011
【図１０】
2019006409.tif 000012
【図１１】
2019006409.tif 000013
【図１２】
2019006409.tif 000014
【図１３】
2019006409.tif 000015
【図１４】
2019006409.tif 000016
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
物品を載置させる設置ボードと、この設置ボードの上面に前記物品を固定する押えフィルムとを備え、
前記設置ボードは、設置ボードの端部を上方に折り曲げる第１の折り曲げ線を有し、
前記第１の折り曲げ線は、その延在方向の中間部が設置ボードの外側に張り出すように１度以上３度以下の角度を有し、  
前記設置ボードの前記物品を載置する面を平坦にした状態で且つ前記第１の折り曲げ線で前記設置ボードを折り曲げ、前記端部を立ち上げた状態で外箱内に配される内設ボード。
【請求項２】
前記第１の折り曲げ線に交差する方向に延び、前記設置ボードの上面から視て谷折り又は山折り可能な第２の折り曲げ線が設けられている請求項１に記載の内設ボード。
【請求項３】
前記設置ボードと前記押えフィルムとが部分的に貼着している区画部が設けられ、物品の収納部が２以上に分割されている請求項１又は２に記載の内設ボード。
【請求項４】
前記区画部を取り囲む切り抜き線が形成され、前記区画部を前記設置ボードから切り抜き、分割された収納部同士が連結可能になっている請求項３に記載の内設ボード。
【請求項５】
前記設置ボードを上面から視て山折りにする第２の折り曲げ線と、この第２の折り曲げ線に平行でかつ前記第２の折り曲げ線を挟んで隣り合う複数の第３の折り曲げ線が形成され、
前記複数の第３の折り曲げ線と第１の折り曲げ線との交点と、前記第２の折り曲げ線上の点とをそれぞれ結んだ線上で折り曲げて傾斜壁部を形成し、又は、前記複数の第３の折り曲げ線と第１の折り曲げ線との交点と、前記第２の折り曲げ線上の点とをそれぞれ結んだ線上で切り欠いて開口孔を形成し、
前記第２の折り曲げ線及び前記第３の折り曲げ線をそれぞれ折り曲げて突条部を形成し、前記物品の収納部を分割可能になっている請求項１から４のいずれか一項に記載の内設ボード。
【請求項６】
請求項１から５のいずれか一項に記載の内設ボードと、
この内設ボードを内部に配置可能な外箱とを備えた包装箱。
【手続補正２】
【補正対象書類名】明細書
【補正対象項目名】０００５
【補正方法】変更
【補正の内容】
【０００５】
本発明の内設ボードは、物品を載置させる設置ボードと、この設置ボードの上面に前記物品を固定する押えフィルムとを備え、前記設置ボードは、設置ボードの端部を上方に折り曲げる第１の折り曲げ線を有し、前記第１の折り曲げ線は、その延在方向の中間部が設置ボードの外側に張り出すように１度以上３度以下の角度を有し、前記設置ボードの前記物品を載置する面を平坦にした状態で且つ前記第１の折り曲げ線で前記設置ボードを折り曲げ、前記端部を立ち上げた状態で外箱内に配される。
本発明の第１の折り曲げ線は、その延在方向の中間部が設置ボードの外側に張り出すように角度を有しているため、外箱に内設ボードを設置した際に第１の折り曲げ線において上方に折り曲げられる端部を外箱の内壁面に押し付けてしっかりと固定することができる。また、この構成によれば、第１の折り曲げ線において上面側に折り曲げられる端部の弾性復帰力を良好にすることができる。
【手続補正３】
【補正対象書類名】明細書
【補正対象項目名】０００６
【補正方法】削除
【補正の内容】
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
物品を載置させて外箱の底面に配置させる設置ボードと、この設置ボードの上面に前記物品を固定する押えフィルムとを備え、
前記設置ボードは、設置ボードの端部を上方に折り曲げる第１の折り曲げ線を有し、
前記第１の折り曲げ線は、その延在方向の中間部が設置ボードの外側に張り出すように１度以上３度以下の角度を有し、  
前記設置ボードの前記物品を載置する面を前記底面に略平行にした状態で且つ前記第１の折り曲げ線で前記設置ボードを折り曲げ、前記端部を立ち上げた状態で外箱内に配される内設ボード。
【請求項２】
前記設置ボードと前記押えフィルムとが部分的に貼着している区画部が設けられ、物品の収納部が２以上に分割されている請求項１に記載の内設ボード。
【請求項３】
前記区画部を取り囲む切り抜き線が形成され、前記区画部を前記設置ボードから切り抜き、分割された収納部同士が連結可能になっている請求項２に記載の内設ボード。
【請求項４】
前記設置ボードを上面から視て山折りにする第２の折り曲げ線と、この第２の折り曲げ線に平行でかつ前記第２の折り曲げ線を挟んで隣り合う複数の第３の折り曲げ線が形成され、
前記複数の第３の折り曲げ線と第１の折り曲げ線との交点と、前記第２の折り曲げ線上の点とをそれぞれ結んだ線上で折り曲げて傾斜壁部を形成し、又は、前記複数の第３の折り曲げ線と第１の折り曲げ線との交点と、前記第２の折り曲げ線上の点とをそれぞれ結んだ線上で切り欠いて開口孔を形成し、
前記第２の折り曲げ線及び前記第３の折り曲げ線をそれぞれ折り曲げて突条部を形成し、前記物品の収納部を分割可能になっている請求項１から３のいずれか一項に記載の内設ボード。
【請求項５】
請求項１から４のいずれか一項に記載の内設ボードと、
この内設ボードを内部に配置可能な外箱とを備えた包装箱。
【手続補正２】
【補正対象書類名】明細書
【補正対象項目名】０００５
【補正方法】変更
【補正の内容】
【０００５】
本発明の内設ボードは、物品を載置させて外箱の底面に配置させる設置ボードと、この設置ボードの上面に前記物品を固定する押えフィルムとを備え、前記設置ボードは、設置ボードの端部を上方に折り曲げる第１の折り曲げ線を有し、前記第１の折り曲げ線は、その延在方向の中間部が設置ボードの外側に張り出すように１度以上３度以下の角度を有し、前記設置ボードの前記物品を載置する面を前記底面に略平行にした状態で且つ前記第１の折り曲げ線で前記設置ボードを折り曲げ、前記端部を立ち上げた状態で外箱内に配される。
本発明の第１の折り曲げ線は、その延在方向の中間部が設置ボードの外側に張り出すように角度を有しているため、外箱に内設ボードを設置した際に第１の折り曲げ線において上方に折り曲げられる端部を外箱の内壁面に押し付けてしっかりと固定することができる。また、この構成によれば、第１の折り曲げ線において上面側に折り曲げられる端部の弾性復帰力を良好にすることができる。
【手続補正３】
【補正対象書類名】明細書
【補正対象項目名】０００７
【補正方法】削除
【補正の内容】